(57)【特許請求の範囲】
【請求項１】
用紙を折り曲げ印刷面を重ね合わせて封緘した封緘印刷物において、
該印刷面のそれぞれに架け渡されて該印刷面に起立する略Ｌ字状に曲折した紙片で、下片が該印刷面に接着され、起立片に印刷が施されると共に該用紙の折り曲げ部分に相当する位置に折り目を有する起立部材を備え、
該用紙の該印刷面を重ね合わせて圧着封緘したとき、該起立片が、該折り目で折り曲がって該印刷面方向に倒れて該印刷面に密接し、
該用紙を圧着封緘した状態で、該起立片の輪郭が該用紙の表面に表出しており、
密着された該印刷面を引き剥がすことにより開封したとき、該起立片が、該印刷面上に起立することを特徴とする封緘印刷物。
【請求項２】
前記用紙を封緘した状態で、前記起立片の端部が、該用紙の外側に突出していることを特徴とする請求項１記載の封緘印刷物。
【発明の詳細な説明】
【技術分野】
【０００１】
本発明は、用紙の印刷面を重ね合わせて封緘した封緘印刷物に関する。
【背景技術】
【０００２】
従来より、印刷物の印刷面を重ね合わせるようにして圧着や糊付けにより封緘した封緘印刷物がある。そして、その中でも例えば特許文献１に示されるような開封して印刷物を開いた時に立体紙片が現れるものがある。この特許文献１に示される立体紙片入り封筒は、封筒裏紙片と封筒表紙片と底面糊代片と立体前面片と立体上面片と側面糊代片とがそれぞれ折目線を介して連接された帳票を、立体前面片と立体側面片間の折目線、封筒表紙片と底面糊代片間の折目線、封筒裏紙片と封筒表紙片間の折目線にて内側に順次巻くようにして折り曲げ、両側を接着すると共に３辺をミシン目にて切取り可能にしたものである。
【先行技術文献】
【特許文献】
【０００３】
【特許文献１】特開平０９−７１０６８号公報
【発明の概要】
【発明が解決しようとする課題】
【０００４】
しかしながら、従来の封緘印刷物である立体紙片入り封筒は、立体紙片の構造が複雑で、開封したときの突出面積も限られていることから、開封したときに見た人に強い印象を与えることが困難である。
【０００５】
本発明は、このような事情に鑑みてなされたもので、印刷面から起立する起立部材の構造が簡易で形状の自由度が高く、開封したときに見た人に強い印象を与えやすい封緘印刷物を提供することにある。
【課題を解決するための手段】
【０００６】
請求項１記載の封緘印刷物は、印刷面のそれぞれに架け渡されて該印刷面に起立する略Ｌ字状に曲折した紙片で、下片が印刷面に接着され、起立片に印刷が施されると共に用紙の折り曲げ部分に相当する位置に折り目を有する起立部材を備え、用紙の印刷面を重ね合わせて圧着封緘したとき、起立片が、折り目で折り曲がって印刷面方向に倒れて印刷面に密接し、用紙を圧着封緘した状態で、起立片の輪郭が用紙の表面に表出しており、密着された印刷面を引き剥がすことにより開封したとき、起立片が、印刷面上に起立することを特徴とする。
【０００７】
請求項２記載の封緘印刷物は、用紙を封緘した状態で、起立片の端部が、用紙の外側に突出していることを特徴とする。
【発明の効果】
【００１１】
請求項１の発明によれば、起立部材が、印刷面のそれぞれに架け渡されて印刷面に起立する略Ｌ字状に曲折した紙片で、下片が印刷面に接着され、起立片に印刷が施されると共に用紙の折り曲げ部分に相当する位置に折り目を有する構造で、この印刷面から起立する起立部材の構造が簡易で形状の自由度が高く、開封したときに見た人に強い印象を与えやすい。また、用紙の印刷面を重ね合わせて圧着封緘することで、封緘印刷物の厚みを抑えることができる。さらに、用紙を圧着封緘した状態で、起立片の輪郭が用紙の表面に表出していることから、開封前に既に特徴的な形状を有しており、手に取った人の興味がわきやすい。
【００１２】
請求項２の発明によれば、用紙を封緘した状態で、起立片の端部が、用紙の外側に突出していることから、開封前に既に特徴的な形状を有しており、手に取った人の興味がわきやすい。
【図面の簡単な説明】
【００１６】
【図１】本発明に係る第１の実施例の封緘印刷物の開封後の説明図である。
【図２】同第１の実施例の封緘印刷物の開封途中の説明図である。
【図３】同第１の実施例の封緘印刷物の開封直後の説明図である。
【図４】同第１の実施例の封緘印刷物の開封前の説明図である。
【図５】本発明に係る第２の実施例の封緘印刷物の開封前の説明図である。
【図６】本発明に係る第３の実施例の封緘印刷物の開封前の説明図である。
【図７】本発明に係る第４の実施例の封緘印刷物の開封前の説明図である。
【図８】同第４の実施例の封緘印刷物の開封後の説明図である。
【発明を実施するための形態】
【００１７】
本発明の形態における封緘印刷物は、印刷物の印刷面を重ね合わせるようにして圧着や糊付けにより封緘したもので、例えば、個人情報が印刷された印刷面を隠すように封緘したハガキや、ダイレクトメール用のハガキ等がある。
【実施例１】
【００１８】
図１は、本発明に係る第１の実施例の封緘印刷物の開封後の説明図である。図２は、同第１の実施例の封緘印刷物の開封途中の説明図である。図３は、同第１の実施例の封緘印刷物の開封直後の説明図である。図４は、同第１の実施例の封緘印刷物の開封前の説明図である。
【００１９】
本実施例１における封緘印刷物１は、用紙１０を折り曲げ、印刷面１０ａ，１０ｂを重ね合わせて封緘したハガキ状のものである。この封緘印刷物１は、印刷面１０ａ，１０ｂに跨いで、起立部材１２が貼付されている。用紙１０は、圧着によって封緘することができる処理が印刷面１０ａ，１０ｂに施されているものである。
【００２０】
起立部材１２は、略Ｌ字状に曲折した紙片である。図１に示すように、起立部材１２の下部には、左右に下片１２ｃ，１２ｄを有し、それぞれの下片１２ｃ及び下片１２ｄの上に、起立片１２ａと起立片１２ｂが伸びている。そして、起立片１２ａと起立片１２ｂとが繋がり、繋がった部分に折り目１２ｅを有している。尚、各図に示す起立部材１２は、桜の木の形状で印刷を施しているが、このように印刷物の目的に応じて形状や印刷内容を定めるようにすればよい。
【００２１】
そして、図１に示すように、起立部材１２は、用紙１０の印刷面１０ａと１０ｂとに架け渡されて印刷面１０ａ，１０ｂに起立している。具体的には、起立部材１２が、印刷面１０ａと印刷面１０ｂの中央に位置するように、下片１２ｃが印刷面１０ａに接着され、下片１２ｄが印刷面１０ｂに接着されている。これにより、用紙１０の印刷面１０ａと１０ｂとの間の折り曲げ部分１０ｃに相当する位置に、起立部材１２も折り目１２ｅを有することとなる。
【００２２】
次に、用紙１０を閉じて、圧着封緘する様子を説明する。まず、図１のように、用紙１０が左右に開かれた状態では、起立部材１２は、印刷面１０ａと印刷面１０ｂとの間に架け渡された状態で起立している。ここで、図２に示すように、用紙１０を折り曲げ部分１０ｃを境に左右から折り上げると、起立部材１２の起立片１２ａ，１２ｂが、中央の折り目１２ｅを起点に折り曲がり始め、同時に、印刷面１０ａ，１０ｂ方向（図２の紙面手前方向）に倒れ始める。さらに用紙１０を折り曲げて印刷面１０ａと印刷面１０ｂとを重ね合わせていくと、図３に示すように、起立部材１２の起立片１２ａ，１２ｂが、折り目１２ｅで折り曲がって印刷面１０ａ，１０ｂ方向にさらに倒れて印刷面１０ａ，１０ｂにさらに密接する。そして、起立片１２ａ，１２ｂが、完全に印刷面１０ａ，１０ｂに密接して、印刷面１０ａと印刷面１０ｂとも密接した状態で、用紙１０が折り曲げ部分１０ｃで折り曲がった状態で閉じられることになる。
【００２３】
印刷面１０ａ，１０ｂと起立片１２ａ，１２ｂとが互いに密接した状態で、用紙１０を外側から加圧することにより、用紙１０を圧着して封緘する。封緘すると、郵送できるようになる。図４に示すように、用紙１０を圧着封緘した状態で、起立片１２ａの輪郭が凸部１０ｄとなって用紙１０の表面に表出することになる。これは、用紙１０の紙厚が、上述の通り薄く、且つ圧着封緘することにより生じるものである。尚、封緘印刷物１を開封する場合は、印刷面１０ａ，１０ｂを引き離して開封する。そして、印刷面１０ａ，１０ｂを開いていくと、上述とは反対に、図３、図２と進み、用紙１０が完全に開かれると、図１に示すように、起立部材１２の起立片１２ａ，１２ｂが印刷面１０ａ，１０ｂ上に起立することとなる。
【００２４】
以上のような、本実施例１の封緘印刷物１によれば、起立部材１２が、印刷面１０ａ，１０ｂのそれぞれに架け渡されて印刷面１０ａ，１０ｂに起立する略Ｌ字状に曲折した紙片で、下片１２ｃ，１２ｄが印刷面１０ａ，１０ｂに接着され、起立片１２ａ，１２ｂに印刷が施されると共に用紙１０の折り曲げ部分１０ｃに相当する位置に折り目１２ｅを有する構造で、この印刷面１０ａ，１０ｂから起立する起立部材１２の構造が簡易で形状の自由度が高く、開封したときに見た人に強い印象を与えやすい。
【００２５】
また、封緘印刷物１は、用紙１０の印刷面１０ａ，１０ｂを重ね合わせて圧着封緘するため、封緘印刷物１の厚みを抑えることができる。すなわち、構造が簡易な起立部材１２は、封緘印刷物に適している。さらに、用紙１０を圧着封緘した状態で、起立片１２ａ，１２ｂの輪郭が用紙１０の表面に表出していることから、開封前に既に特徴的な形状を有しており、手に取った人の興味がわきやすい。起立片１２ａ，１２ｂの形状が、用紙１０の表面の凸部１０ｄになって表出した場合には、裏表逆になり別の形状に見える場合もあり、バリエーションに富んだ印刷物とすることも可能である。
【実施例２】
【００２６】
図５は、本発明に係る第２の実施例の封緘印刷物の開封前の説明図である。
【００２７】
本実施例２における封緘印刷物２は、実施例１の封緘印刷物１と同様に、用紙２０を折り曲げ印刷面を重ね合わせて封緘したハガキ状のものである。この封緘印刷物２は、実施例１の封緘印刷物１と同様に、用紙２０の印刷面に跨いで、起立部材２２が貼付されている。用紙２０の閉じ方、起立部材２２の印刷面への倒れ方は、実施例１と同様である。
【００２８】
但し、封緘印刷物２は、実施例１の封緘印刷物１とは、起立部材２２の大きさが異なっている。実施例１の起立片１２ａ，１２ｂは、用紙１０の内部に納まる大きさであったが、封緘印刷物２では、図５に示すように、起立片の端部が用紙２０を封緘した状態で突出部２２ｇとして、用紙２０の外側に突出する形状となっている。
【００２９】
以上のような、本実施例２の封緘印刷物２によれば、実施例１と同様に、起立部材２２の構造が簡易で形状の自由度が高く、開封したときに見た人に強い印象を与えやすい。また、用紙２０を封緘した状態で、起立部材２２の端部が、用紙２０の外側に突出して突出部２２ｇとなっていることから、開封前に既に特徴的な形状を有しており、手に取った人の興味がわきやすい。
【実施例３】
【００３０】
図６は、本発明に係る第３の実施例の封緘印刷物の開封前の説明図である。
【００３１】
本実施例３における封緘印刷物３は、実施例１の封緘印刷物１と同様に、用紙３０を折り曲げ印刷面を重ね合わせて封緘したハガキ状のものである。この封緘印刷物３は、印刷面に跨いで、起立部材３２が貼付されている。用紙３０は、実施例１の場合に比べ、厚手のものを用いることが可能である。また、起立部材３２は、実施例１の起立部材１２と同じ形態で、紙厚は用紙３０と同様に、実施例１の場合に比べ、厚手のものを用いることが可能である。
【００３２】
本実施例３の場合は、実施例１で用紙１０を圧着したのとは異なり、用紙３０の印刷面の周囲部に糊代が設けられ、印刷面を重ね合わせてて糊代を接着させることにより封緘している。そして、封緘した糊代の内側に設けられた切取ミシン目３０ｄを切り取り開封するようにする。尚、それ以外の用紙３０の閉じ方、起立部材３２の印刷面への倒れ方は、実施例１と同様である。
【００３３】
以上のような、本実施例３の封緘印刷物３によれば、実施例１と同様に、起立部材３２の構造が簡易で形状の自由度が高く、開封したときに見た人に強い印象を与えやすいと共に、封緘した糊代の内側に設けられた切取ミシン目３０ｄを切り取り開封するもので、従来の工法・構造を用いることで、コストを抑えることが可能である。
【実施例４】
【００３４】
図７は、本発明に係る第４の実施例の封緘印刷物の開封前の説明図である。図８は、同第４の実施例の封緘印刷物の開封後の説明図である。
【００３５】
本実施例４における封緘印刷物４は、実施例１の封緘印刷物１と同様に、用紙４０を折り曲げ印刷面を重ね合わせて封緘したハガキ状のものである。この封緘印刷物４は、印刷面４０ａ，４０ｂに跨いで、起立部材４２が貼付されている。用紙４０は、実施例１の場合に比べ、厚手のものを用いることが可能である。また、起立部材４２は、実施例１の起立部材１２と同じ形態で、紙厚は用紙４０と同様に、実施例１の場合に比べ、厚手のものを用いることが可能である。
【００３６】
本実施例４の場合は、実施例３と同様に、実施例１で用紙１０を圧着したのとは異なり、用紙４０の印刷面の周囲部に糊代が設けられ、印刷面４０ａ，４０ｂを重ね合わせて糊代を接着させることにより封緘している。そして、封緘した糊代の内側に設けられた切取ミシン目４０ｄを切り取り開封するようにする。尚、それ以外の用紙４０の閉じ方、起立部材４２の印刷面への倒れ方は、実施例１と同様である（図８参照）。
【００３７】
但し、封緘印刷物４は、実施例３の封緘印刷物３とは、起立部材４２の起立片４２ａ，４２ｂの大きさが異なっている。実施例１及び実施例３の起立片１２ａ，１２ｂ，３２ａ，３２ｂは、用紙１０，３０の内部に納まる大きさであったが、封緘印刷物４では、図７に示すように、起立片４２ａ，４２ｂの端部が用紙４０を封緘した状態で突出部４２ｆ，４２ｇとして、用紙４０の外側に突出する形状となっている。
【００３８】
以上のような、本実施例４の封緘印刷物４によれば、実施例１と同様に、起立部材４２の構造が簡易で形状の自由度が高く、開封したときに見た人に強い印象を与えやすいと共に、実施例３と同様に、封緘した糊代の内側に設けられた切取ミシン目を切り取り開封するもので、従来の工法・構造を用いることで、コストを抑えることが可能である。また、用紙４０を封緘した状態で、起立片４２ａ，４２ｂの端部が、用紙４０の外側に突出して突出部４２ｆ，４２ｇとなっていることから、開封前に既に特徴的な形状を有しており、手に取った人の興味がわきやすい。
【産業上の利用可能性】
【００３９】
以上のように、本発明によれば、印刷面から起立する起立部材の構造が簡易で形状の自由度が高く、開封したときに見た人に強い印象を与えやすい封緘印刷物を提供することができる。
【符号の説明】
【００４０】
１・・・・・封緘印刷物
２・・・・・封緘印刷物
３・・・・・封緘印刷物
４・・・・・封緘印刷物
１０・・・・用紙
１０ａ・・・印刷面
１０ｂ・・・印刷面
１０ｃ・・・折り曲げ部分
１０ｄ・・・凸部
１２・・・・起立部材
１２ａ・・・起立片
１２ｂ・・・起立片
１２ｃ・・・下片
１２ｄ・・・下片
１２ｅ・・・折り目
２０・・・・用紙
２２・・・・起立部材
２２ｇ・・・突出部
３０・・・・用紙
３０ｄ・・・切取ミシン目
３２・・・・起立部材
４０・・・・用紙
４０ａ・・・印刷面
４０ｂ・・・印刷面
４０ｃ・・・折り曲げ部分
４０ｄ・・・切取ミシン目
４２・・・・起立部材
４２ａ・・・起立片
４２ｂ・・・起立片
４２ｃ・・・下片
４２ｄ・・・下片
４２ｅ・・・折り目
４２ｆ・・・突出部
４２ｇ・・・突出部
【図１】
0005393565.tif 000002
【図２】
0005393565.tif 000003
【図３】
0005393565.tif 000004
【図４】
0005393565.tif 000005
【図５】
0005393565.tif 000006
【図６】
0005393565.tif 000007
【図７】
0005393565.tif 000008
【図８】
0005393565.tif 000009